(57)【特許請求の範囲】
【請求項１】
外壁の表面を流下する水の水切りをしつつ、上記外壁の背面側に形成された通気空間に外気を導入する通気水切り材を、上記外壁の下端部に沿って延長配置することにより形成される外壁用通気水切り構造において、
上記通気水切り材によって保持される上記外壁下方の通気導入路の上端縁部又は下端縁部に沿って、熱により膨張する不燃性体積膨張材を上記通気導入路を塞ぐ方向に膨張するように固着し、出火時の熱により上記不燃性体積膨張材を膨張させて上記通気導入路を閉塞することにより、熱風や炎の上記通気空間への侵入を遮断するようになっており、
上記通気導入路の上端縁部又は下端縁部に回転可能に取り付けられて上記通気導入路を開閉する蓋部材が設けられると共に、上記不燃性体積膨張材を、開放時の上記蓋部材に覆われた状態で上記上端縁部又は下端縁部に沿って固着し、出火時の熱により上記不燃性体積膨張材を膨張させ上記蓋部材を押圧することにより上記通気導入路を閉塞して、熱風や炎の上記通気空間への侵入を遮断することを特徴とする外壁用通気水切り構造。
【請求項２】
上記外壁は、家屋建物の一階部分の外壁であって、上記通気導入路が、基礎部材の上面に沿って形成されている請求項１記載の外壁用通気水切り構造。
【請求項３】
上記通気導入路は、上記取付基礎部材の上面に沿って床下部に形成された横方向通気空間にも外気を導入するものであって、出火時の熱により上記不燃性体積膨張材を膨張させて上記通気導入路を閉塞することにより、上記通気空間及び上記横方向通気空間の双方への熱風や炎の侵入を同時に遮断することを特徴とする請求項２記載の外壁用通気水切り構造。
【請求項４】
上記外壁は、家屋建物の上階部分の外壁であって、上記通気導入路が、下階の屋根材の上面に沿って形成されている請求項１記載の外壁用通気水切り構造。
【発明の詳細な説明】
【０００１】
【発明の属する技術分野】
本発明は、外壁の表面を流下する水の水切りをしつつ、上記外壁の背面側に形成された通気空間に外気を導入する通気水切り材を、上記外壁の下端部に沿って延長配置することにより形成される外壁用通気水切り構造に関する。
【０００２】
【従来の技術及び発明が解決しようとする課題】
例えば建築物の外壁を構成する壁体の背面に外気を導入して、結露やカビ、あるいは壁体の反り等を防止するための手段として、外壁の下端部に通気水切り材を設けたものが知られている。この通気水切り材は、ステンレス等の金物等からなる不燃性の部材であって、外壁の下方に位置する基礎部材や屋根部材と外壁との間に空間を保持して、外壁の背面に形成した通気空間への外気の導入路を形成すると共に、下方に突出する水切片を備え、外壁の下端部に沿って建築物側に回り込もうとする水を遮断する。
【０００３】
しかしながら、外壁の下端部に沿って通気水切り材を延長配置した従来の通気水切り構造によれば、外気を通気空間内へ積極的に取り込むものであるため、火災時においては、熱風や炎が上記通気空間へ侵入し易く、外壁に囲まれる内側の建築物の燃焼を促進することになるという課題があった。
【０００４】
本発明は、かかる従来の課題を鑑みてなされたもので、火災時に熱風や炎が外壁背面の通気空間へ侵入するのを防止して、建築物の燃焼の促進を回避できる外壁用通気水切り構造を提供することを目的とする。
【０００５】
【課題を解決するための手段】
本発明は、外壁の表面を流下する水の水切りをしつつ、上記外壁の背面側に形成された通気空間に外気を導入する通気水切り材を、上記外壁の下端部に沿って延長配置することにより形成される外壁用通気水切り構造において、上記通気水切り材によって保持される上記外壁下方の通気導入路の上端縁部又は下端縁部に沿って、熱により膨張する不燃性体積膨張材を上記通気導入路を塞ぐ方向に膨張するように固着し、出火時の熱により上記不燃性体積膨張材を膨張させて上記通気導入路を閉塞することにより、熱風や炎の上記通気空間への侵入を遮断するようになっており、上記通気導入路の上端縁部又は下端縁部に回転可能に取り付けられて上記通気導入路を開閉する蓋部材が設けられると共に、上記不燃性体積膨張材を、開放時の上記蓋部材に覆われた状態で上記上端縁部又は下端縁部に沿って固着し、出火時の熱により上記不燃性体積膨張材を膨張させ上記蓋部材を押圧することにより上記通気導入路を閉塞して、熱風や炎の上記通気空間への侵入を遮断することを特徴とする外壁用通気水切り構造を提供することにより、上記目的を達成したものである（請求項１記載の発明）。
【０００７】
さらに、本発明の外壁用通気水切り構造は、上記外壁が、家屋建物の一階部分の外壁であって、上記通気導入路は、基礎部材の上面に沿って形成されるものであることが好ましい（請求項２記載の発明）。
【０００８】
さらにまた、本発明の外壁用通気水切り構造は、上記通気導入路が、上記取付基礎部材の上面に沿って床下部に形成された横方向通気空間にも外気を導入するものであって、出火時の熱により上記不燃性体積膨張材を膨張させて上記通気導入路を閉塞することにより、上記通気空間及び上記横方向通気空間の双方への熱風や炎の侵入を同時に遮断するようにすることもできる（請求項３記載の発明）。
【０００９】
そして、本発明の外壁用通気水切り構造は、上記外壁が、家屋建物の上階部分の外壁であって、上記通気導入路は、下階の屋根材の上面に沿って形成されるものであっても良い。（請求項５記載の発明）。
【００１０】
【発明の実施の形態】
本発明の参考例及び好ましい実施形態を添付図面を参照しつつ詳細に説明する。第１参考例に係る外壁用通気水切り構造１０は、図１及び図２に示すように、外壁１１の表面を流下する水の水切りをしつつ、外壁１１の背面側に形成された通気空間１２に外気を導入する通気水切り材１３を、外壁１１の下端部に沿って延長配置することにより形成される。
【００１１】
また、第１参考例によれば、通気水切り材１３によって基礎コンクリート１４との間に保持される外壁１１下方の通気導入路１５の上端縁部に沿って、熱により膨張する不燃性体積膨張材１６が、通気導入路１５を塞ぐ方向に膨張するように固着されている。
【００１２】
外壁１１はサイディング材からなり、各種のボード部材や透湿防水シート等を設置して形成された家屋建物の一階部分の外周面２３を覆うようにして、縦胴縁１７を介して所定の間隔をおいて取り付けられることにより、外壁１１の背面側に、２０ｍｍ程度の幅の通気空間１２が形成される。
【００１３】
通気水切り材１３は、不燃性でかつ溶融温度の高いステンレス製の板部材に曲折加工や溶着加工を施して形成され、縦胴縁１７の先端面に沿って垂直に延設される垂直プレート部１８と、この垂直プレート部１８から外壁１１の下方を横断して斜め下方に延設した後、さらに垂直下方に延設する水切りプレート部１９と、垂直プレート部１８の下端部分に設けられた断面コの字状の膨張材固着部２０とからなる。
【００１４】
この通気水切り材１３によれば、例えば垂直プレート部１８を縦胴縁１７に打ち付けて固定することにより、外壁１１の下方の基礎コンクリート１４との間に、通気導入路１５を保持形成する。また、外壁１１の表面に沿って流下する雨水等の水は、外壁１１の下端に配設された通気水切り材１３を通過することにより、外壁１１の背面側に回り込むことなく水切りされる。
【００１５】
なお、第１参考例によれば、家屋建物の土台２１は、互いに間隔をおいて基礎コンクリート１４上に配設されたパッキン部材２２上に設置され、隣接するパッキン部材２２間の隙間が通気流路となって、基礎コンクリート１４の上面に沿って床下部に横方向通気空間２４が形成される。従って、通気導入路１５を通過する通気は、外壁１１の背面の通気空間１２のみならず床下部の横方向通気空間２４にも取り込まれることになる。
【００１６】
不燃性体積膨張材１６は、一般に不燃性体積膨張材として使用されている膨張性グラファイト系の防炎、防煙用のシール材料であって、通過熱風温度が１５０〜１７０゜Ｃで約１０倍に膨張する性質を有している。この不燃性体積膨張材１６としては、例えば、オーストリアケミー・リンツ社製の「インツメックス」や、特開昭６３−１３２９６８号（発明の名称「防火組成物」）、特開平３−２３５号（発明の名称「防火・耐火被覆マット」）等に示される商品や技術が使用される。また、この不燃性体積膨張材１６は、加熱温度が８５０゜Ｃになっても、燃焼あるいは溶解しない性質を有している。
【００１７】
この不燃性体積膨張材１６は、通気水切り材１３の膨張材固着部２０に充填配置されることにより、熱によって通気導入路１５を塞ぐ方向に膨張する。すなわち、膨張材固着部２０は、通気導入路１５の上端縁部に沿って配設され、しかもコの字状断面の開口側が下方に向かって配置されていることにより、不燃性体積膨張材１６は、基礎コンクリート１４に向かって膨張して、通気導入路１５を遮断する。
【００１８】
第１参考例の通気水切り構造１０によれば、火災の生じていない平常時においては、通気水切り材１３によって外壁１１の表面を流下する水の水切りがなされると共に、外壁１１の下方に形成された通気導入路１５を介して、外壁１１の背面の通気空間１２及び床下部の横方向通気空間２４に外気を導入する。一方、火災時においては、不燃性体積膨張材１６が熱風を受けてその体積を膨張させ、不燃性材料である基礎コンクリート１４に押圧密着することにより通気導入路１５を遮断して、外壁１１の背面の通気空間１２や床下部の横方向通気空間２４に熱風や炎が侵入するのを防止し、これによって建築物の燃焼の促進を回避することが可能になる。
【００１９】
図３は、第２参考例に係る外壁用通気水切り構造３０を示すもので、この第２参考例によれば、第１参考例と同様の通気水切り材１３を、家屋建物の２階部分の外壁３１の下端部に沿って延長配置することにより構成される。
【００２０】
すなわち、外壁３１はサイディング材からなり、各種のボード部材３２や透湿防水シート３３等を設置して形成された家屋建物の２階部分の外周面３４を覆うようにして、縦胴縁３５を介して所定の間隔をおいて取り付けられることにより、外壁３１の背面側に、２０ｍｍ程度の幅の通気空間３６が形成される。また、通気水切り材１３は、例えば垂直プレート部１８を縦胴縁１７に打ち付けて固定することにより、外壁３１下方の一階屋根の基端部分３７との間に、通気導入路３８を保持形成すると共に、膨張材固着部２０は、その開口側が下方に向かって配置される。
【００２１】
一階屋根の基端部分３７には、スレート瓦４１の上面に笠木３９が配設されると共に、笠木４１を覆ってステンレス製の雨押えプレート４０が配設される。これによって、火災時に膨張した不燃性体積膨張材１６は、不燃性材料である雨押えプレート４０に密着して、通気導入路３８を遮断する。
【００２２】
第２参考例の通気水切り構造３０によれば、第１参考例と同様に、火災の生じていない平常時においては、通気水切り材１３によって外壁３１の表面を流下する水の水切りがなされると共に、通気導入路３８を介して、外壁３１の背面の通気空間３６に外気を導入する。一方、火災時においては、不燃性体積膨張材１６が熱風を受けてその体積を膨張させ、雨押えプレート４０に押圧密着することにより通気導入路３８を遮断して、通気空間３６に熱風や炎が侵入するのを防止する。
【００２３】
図４は、第１本発明の好ましい一実施形態に係る外壁用通気水切り構造１０を示すものである。図４によれば、通気水切り材１３の垂直プレート部１８の下端部分には膨張材固着部２０が設けられておらず、不燃性体積膨張材１６は、通気導入路１５の下端縁部である基礎コンクリート１４上にヒンジ結合によって回転可能に取り付けられた開閉蓋プレート４２に覆われた状態で、通気導入路１５の下端縁部に沿って固着されている。
【００２４】
このように固着された不燃性体積膨張材１６によれば、火災の生じていない平常時においては、開放時の開閉蓋プレート４２に覆われた状態を保持し、通気導入路３８を介して外気を導入する。一方、火災時においては、不燃性体積膨張材１６は熱風を受けてその体積を膨張し、開閉蓋プレート４２を押し上げるようにして回動させ、開閉蓋プレート４２の上端を垂直プレート部１８の下端に当接させることにより、通気導入路１５を閉塞する。すなわち、不燃性体積膨張材１６の膨張による閉塞と共に、開閉蓋プレート４２により通気導入路１５を閉塞して、外壁１１の背面の通気空間１２や床下部の横方向通気空間２４に熱風や炎が侵入するのをさらに確実に防止することができる。
【００２５】
なお、本発明は上記実施形態に限定されることなく種々の変更が可能である。例えば、通気水切り材は、必ずしも垂直プレート部１８と水切りプレート部１９とからなるものに限定されることなく、通気水切り材として知られるその他の種々の通気水切り材を使用することができる。また、通気水切り材は、必ずしも縦胴縁１７に打ち付けて外壁の下端部に固定する必要はない。さらに、通気水切り材は、必ずしもステンレス製の板部材から形成したものである必要はなく、不燃性でかつ溶融温度の高い材料であれば、例えばアルミニウムその他の金属又は合金の他、セラミック等の、通気水切り材を形成することのできる種々の材料を用いて形成された通気水切り材を採用することができる。
【００２６】
【発明の効果】
以上詳細に説明したように、本発明の外壁用通気水切り構造によれば、火災時に熱風や炎が外壁背面の通気空間へ侵入するのを防止して、建築物の燃焼の促進を回避することができる。
【図面の簡単な説明】
【図１】  本発明の第１参考例に係る外壁用通気水切り構造を示す断面図である。
【図２】  本発明の第１参考例に係る外壁用通気水切り構造の火災時における状況を示す拡大断面図である。
【図３】  本発明の第２参考例に係る外壁用通気水切り構造を示す断面図である。
【図４】  本発明の一実施形態に係る外壁用通気水切り構造を示す拡大断面図である。
【符号の説明】
１０，３０  外壁用通気水切り構造
１１，３１  外壁
１２，３６  通気空間
１３  通気水切り材
１４  基礎コンクリート
１５，３８  通気導入路
１６  不燃性体積膨張材
１７，３５  縦胴縁
１８  垂直プレート部
１９  水切りプレート部
２０  膨張材固着部
２４  横方向通気空間
４０  雨押えプレート（下階の屋根材の上面）
４２  開閉蓋プレート
【図１】
0004063438.tif 000002
【図２】
0004063438.tif 000003
【図３】
0004063438.tif 000004
【図４】
0004063438.tif 000005